(57)【要約】【課題】撮影可能範囲を確認することが容易であり、また、縦横位置やアスペクト比が変更されても、撮影情報が見やすい撮像装置および撮像装置の制御方法を提供する。【解決手段】被写体像を画像データとして出力する撮像素子２２１と、撮像素子２２１の画像データ出力領域の縦横及び／又はアスペクト比を設定変更する十字釦３２、前ダイアル２２、後ろダイアル２３と、撮像素子２２１の全体の画像データを被写体像表示領域３９ｂと撮影可能領域３９ｃに逐次表示すると共に、設定されたアスペクト比に応じた境界線３９ａを表示する背面ＬＣＤ３９を有する。また、背面ＬＣＤ３９の表示面の隅に撮影情報３９ｄを表示する。【選択図】  図６
2010187266.tif 000002
【特許請求の範囲】
【請求項１】
被写体像を画像データとして出力する撮像部と、
上記撮像部の画像データ出力領域の縦横及び／又はアスペクト比を制御する撮像領域制御部と、
上記撮像部全体の画像データを逐次表示し、上記画像データ出力領域の縦横及び／又はアスペクト比に係わる情報を表示し、撮影に係わる情報を表示するライブビュー表示部と、
を有することを特徴とする撮像装置。
【請求項２】
上記ライブビュー表示は、上記撮像部全体の画像データの表示範囲外に上記撮影に係わる情報を表示することを特徴とする請求項１に記載の撮像装置。
【請求項３】
上記ライブビュー表示部は、上記画像データ出力領域の縦横及び／又はアスペクト比に係わる情報を、上記撮像部全体の画像データに重畳して表示することを特徴とする請求項１に記載の撮像装置。
【請求項４】
上記画像データ出力領域の縦横及び／又はアスペクト比に係わる情報の表示は、上記画像データ出力領域を示す枠線であり、又は、上記画像データ出力領域外を異なる態様で表示することを請求項３に記載の撮像装置。
【請求項５】
上記ライブビュー表示部は、上記縦横及び／又はアスペクト比に係わらず、一定の位置に上記撮影情報を表示することを特徴とする請求項１に記載の撮像装置。
【請求項６】
上記撮像領域制御部は、イメージサークル内に上記画像データ出力領域を設定し、
上記ライブビュー表示部は、表示部内であって、かつ上記画像データ出力領域に対応する範囲の外に、撮影情報表示用の上記一定の位置を設定する、
ことを特徴とする請求項５に記載の撮像装置。
【請求項７】
上記撮像領域制御部は、イメージサークル内に上記画像データ出力領域を設定し、
上記ライブビュー表示部は、上記イメージサークル内に対応し、かつ上記画像データ出力領域外の画像についても表示する、
ことを特徴とする請求項１に記載の撮像装置。
【請求項８】
上記ライブビュー表示部は、上記イメージサークル内に対応し、かつ上記画像データ出力領域外の画像の表示態様と、上記画像データ出力領域内の画像の表示態様を変えることを特徴とする請求項７に記載の撮像装置。
【請求項９】
被写体像を画像データとして出力する撮像部と、
上記撮像部の画像データ出力領域の縦横及び／又はアスペクト比を制御する撮像領域制御部と、
上記画像データ出力領域の縦横及び／又はアスペクト比に係わる情報を表示し、撮影に係わる情報を表示するライブビュー表示部と、
を有し、
上記ライブビュー表示部は、上記縦横及び／又はアスペクト比に係わらず、一定の位置に上記撮影情報を表示することを特徴とする撮像装置。
【請求項１０】
上記撮像領域制御部は、イメージサークル内に上記画像データ出力領域を設定し、
上記ライブビュー表示部は、表示部内であって、かつ上記画像データ出力領域に対応する範囲の外に、撮影情報表示用の上記一定の位置を設定する、
ことを特徴とする請求項９に記載の撮像装置。
【請求項１１】
被写体像を画像データとして出力し、
上記画像データ出力領域の縦横及び／又はアスペクト比を制御し、
上記画像データを逐次表示し、上記画像データ出力領域の縦横及び／又はアスペクト比に係わる情報を表示し、撮影に係わる情報を表示する、
ことを特徴とする撮像装置の制御方法。
【発明の詳細な説明】
【技術分野】
【０００１】
本発明は、撮像装置および撮像装置の制御方法に関し、詳しくは、撮影画面を異なるアスペクト比に変更可能な撮像装置および撮像装置の制御方法に関する。
【背景技術】
【０００２】
従来より、撮影画像のアスペクト比の変更に応じて、ファインダの視野枠を切り換えることは種々提案されている。例えば、特許文献１には、ライブビュー表示のモニタにおいて、被写体像を表示した以外の余剰スペースに撮影情報を表示する撮像装置が開示されている。この撮像装置では、縦横の切り換えは、撮像素子からの画像データの切り出しで変えている。
【０００３】
また、特許文献２には、縦位置で撮影するためにカメラを回転させて持ち変える際に手ブレが生じたり、同じ構図ができないことを解決するために、回転した場合には縦横位置を変更するようにしたデジタルカメラが開示されている。このデジタルカメラでは、撮像部とモニタを一体で回転することにより縦横の切り換えをおこなっており、また撮影情報の表示については開示されていない。
【０００４】
さらに、特許文献３には、撮影するときのカメラの姿勢に応じて再生する画像を回転して表示するようにしたデジタルカメラが開示されている。このデジタルカメラでは、縦横位置の切り換えは、カメラの構え方を変えるだけであり、再生時に縦横位置の切り換えを行っている。また、撮影情報は、被写体像を表示した以外の余剰スペースに表示している。
【先行技術文献】
【特許文献】
【０００５】
【特許文献１】特開２００７−１８０９３１号公報
【特許文献２】特開２００６−２０３７３２号公報
【特許文献３】特開２００７−２０１５３９号公報
【発明の概要】
【発明が解決しようとする課題】
【０００６】
このように、縦横位置やアスペクト比を変更する撮像装置は、種々開示されているが、アスペクト比を変更することによる撮影可能な範囲と、設定されたアスペクト比によって撮影される撮影範囲の関係が分かりにくいものしかない。すなわち、上述の特許文献に開示された撮像装置は設定されたアスペクト比に応じた撮影範囲のみしか表示されていない。また、撮影情報の表示にあたって常に同じ位置に表示するようにしたものは提案されていない。すなわち、撮影情報を表示することについては、特許文献１および３に開示されているが、これらは、いずれも被写体像を表示した部分の余剰スペースに行っている。余剰スペースは、表示した縦横位置やアスペクト比によって変わることから、撮影情報の表示位置も変わってしまう。アスペクト比等が変更されるたびに、撮影情報の表示位置を変わってしまうのは、ユーザにとって見やすいものではない。このように、従来の撮像装置は、撮影にあたって撮影可能範囲を確認することが困難であった。また、撮影情報が見やすい位置にはなかった。
【０００７】
本発明は、このような事情を鑑みてなされたものであり、撮影可能範囲を確認することが容易である撮像装置および撮像装置の制御方法を提供することを目的とする。また、縦横位置やアスペクト比が変更されても、撮影情報が見やすい撮像装置および撮像装置の制御方法を提供することを目的とする。
【課題を解決するための手段】
【０００８】
上記目的を達成するため第１の発明に係わる撮像装置は、被写体像を画像データとして出力する撮像部と、上記撮像部の画像データ出力領域の縦横及び／又はアスペクト比を制御する撮像領域制御部と、上記撮像部全体の画像データを逐次表示し、上記画像データ出力領域の縦横及び／又はアスペクト比に係わる情報を表示し、撮影に係わる情報を表示するライブビュー表示部と、を有する。
【０００９】
第２の発明に係わる撮像装置は、上記第１の発明において、上記ライブビュー表示は、上記撮像部全体の画像データの表示範囲外に上記撮影に係わる情報を表示する。
第３の発明に係わる撮像装置は、上記第１の発明において、上記ライブビュー表示部は、上記画像データ出力領域の縦横及び／又はアスペクト比に係わる情報を、上記撮像部全体の画像データに重畳して表示する。
第４の発明に係わる撮像装置は、上記第３の発明において、上記画像データ出力領域の縦横及び／又はアスペクト比に係わる情報の表示は、上記画像データ出力領域を示す枠線であり、又は、上記画像データ出力領域外を異なる態様で表示する。
【００１０】
第５の発明に係わる撮像装置は、上記第１の発明において、上記ライブビュー表示部は、上記縦横及び／又はアスペクト比に係わらず、一定の位置に上記撮影情報を表示する。
第６の発明に係わる撮像装置は、上記第５の発明において、上記撮像領域制御部は、イメージサークル内に上記画像データ出力領域を設定し、上記ライブビュー表示部は、表示部内であって、かつ上記画像データ出力領域に対応する範囲の外に、撮影情報表示用の上記一定の位置を設定する。
【００１１】
第７の発明に係わる撮像装置は、上記第１の発明において、上記撮像領域制御部は、イメージサークル内に上記画像データ出力領域を設定し、上記ライブビュー表示部は、上記イメージサークル内に対応し、かつ上記画像データ出力領域外の画像についても表示する。
第８の発明に係わる撮像装置は、上記第７の発明において、上記ライブビュー表示部は、上記イメージサークル内に対応し、かつ上記画像データ出力領域外の画像の表示態様と、上記画像データ出力領域内の画像の表示態様を変える。
【００１２】
第９の発明に係わる撮像装置は、被写体像を画像データとして出力する撮像部と、上記撮像部の画像データ出力領域の縦横及び／又はアスペクト比を制御する撮像領域制御部と、上記画像データ出力領域の縦横及び／又はアスペクト比に係わる情報を表示し、撮影に係わる情報を表示するライブビュー表示部と、を有し、上記ライブビュー表示部は、上記縦横及び／又はアスペクト比に係わらず、一定の位置に上記撮影情報を表示する。
【００１３】
第１０の発明に係わる撮像装置は、上記第９の発明において、上記撮像領域制御部は、イメージサークル内に上記画像データ出力領域を設定し、上記ライブビュー表示部は、表示部内であって、かつ上記画像データ出力領域に対応する範囲の外に、撮影情報表示用の上記一定の位置を設定する。
【００１４】
第１１の発明に係わる撮像装置の制御方法は、被写体像を画像データとして出力し、上記画像データ出力領域の縦横及び／又はアスペクト比を制御し、上記画像データを逐次表示し、上記画像データ出力領域の縦横及び／又はアスペクト比に係わる情報を表示し、撮影に係わる情報を表示する。
【発明の効果】
【００１５】
本発明によれば、撮影可能範囲を確認することが容易である撮像装置および撮像装置の制御方法を提供することができる。また、縦横位置やアスペクト比が変更されても、撮影情報が見やすい撮像装置および撮像装置の制御方法を提供することができる。
【図面の簡単な説明】
【００１６】
【図１】本発明の一実施形態に係わるデジタルカメラの背面側から見た外観斜視図である。
【図２】本発明の一実施形態に係わるデジタルカメラにおける電気回路を示すブロック図である。
【図３】本発明の一実施形態に係わるデジタルカメラにおいて、撮像素子と撮影画面の関係を示す図である。
【図４】本発明の一実施形態に係わるデジタルカメラにおける設定変更の動作を示すフローチャートである。
【図５】本発明の一実施形態におけるデジタルカメラにおける設定変更の動作を示すフローチャートの変形例である。
【図６】本発明の一実施形態におけるデジタルカメラにおいて、横長画像でのライブビュー表示の様子を示す図である。
【図７】本発明の一実施形態におけるデジタルカメラにおいて、縦長画像でのライブビュー表示の様子を示す図である。
【図８】本発明の一実施形態におけるデジタルカメラにおいて、横長画像でのライブビュー表示の様子を示し、画面４隅以外にも撮影情報を表示したところを示す図である。
【発明を実施するための形態】
【００１７】
以下、図面に従って本発明を適用したデジタルカメラを用いて好ましい実施形態について説明する。図１は、本発明の一実施形態に係わるデジタル一眼レフレックスカメラの背面側から見た外観斜視図である。
【００１８】
図１に示すカメラ本体２００の前面の略中央には、着脱可能なレンズ鏡筒１００を装着している。カメラ本体２００の正面左側のグリップ部の上部には、不図示のレリーズ釦が配置されている。レリーズ釦は、撮影者が半押しするとオンする第１レリーズスイッチと、全押しするとオンする第２レリーズスイッチを有している。この第１レリーズスイッチ（以下、１Ｒと称する）のオンによりカメラは焦点検出、撮影レンズのピント合わせ、被写体輝度の測光等の撮影動作を行い、第２レリーズスイッチ（以下、２Ｒと称する）のオンにより撮像素子２２１（図２参照）の出力に基づいて被写体像の画像データの取り込みを行う露光動作を実行する。
【００１９】
また、カメラ本体２００の正面左側グリップ部には、前ダイアル２２（図１には不図示、図２参照）が配置されている。この前ダイアル２２は、時計方向および反時計方向に回転自在であり、その回転方向と回転量が検知され出力される。
【００２０】
図１に示すように、カメラ本体２００の背面の右上には、後ダイアル２３が配置されている。後ダイアル２３も、前ダイアル２２と同様、時計方向および反時計方向に回転自在であり、その回転方向と回転量が検知され出力される。また、後ダイアル２３の近傍には、２つの操作釦からなる背面操作部材２４が配置されている。
【００２１】
後ダイアル２３の下側に、十字釦３２が配置されている。この十字釦３２は上側十字釦３２ａ、下側十字釦３２ｂ等の４つの釦からなり、背面液晶モニタ３９上にカーソルが表示されている場合に、このカーソルの移動等に用いる。また、後述するように、本実施形態の変形例においては、十字釦３２の上下釦を操作することによりアスペクト比を変更することができる。
【００２２】
カメラ本体２００の背面の略中央の上部には、接眼部３８が設けられており、この中に接眼レンズ２０９が配置されている。カメラ本体２００は一眼レフレックスカメラであり、内部には、可動ミラー２０１やペンタプリズム２０７等のファインダ光学系（図２参照）が配置され、このファインダ光学系を通過した被写体光束が、この接眼レンズ２０９より出射する。撮影者は接眼レンズ２０９を介して、光学的に被写体像を観察することができる。
【００２３】
接眼部３８の下側には、背面液晶モニタ（以下、背面ＬＣＤと称す）３９が配置されている。背面ＬＣＤ３９は、ライブビュー表示を行い、また、記録済みの被写体像を再生表示し、撮影情報やメニューを表示するための表示装置である。これらの表示を行うことができるものであれば、液晶表示装置に限らない。また、本実施形態においては、カメラ本体２００の背面に配置しているが、撮影者が観察できる位置であれば、背面に限られない。背面ＬＣＤ３９の下側には、インフォメーション釦３１が配置されている。このインフォメーション釦３１の操作により、撮影情報を表示する。
【００２４】
次に、本実施形態に係わるデジタル一眼レフカメラの電気回路について、図２に示すブロック図を用いて説明する。このデジタル一眼レフカメラは、前述したように、交換レンズ１００とカメラ本体２００とが別体で構成され、通信接点３４１にて電気的に接続されているが、交換レンズ１００とカメラ本体２００を一体に構成することも可能である。
【００２５】
交換レンズ１００の内部には、焦点調節および焦点距離調節用の撮影光学系１０１と、開口量を調節するための絞り１０３が配置されている。撮影光学系１０１は光学系駆動機構１０７によって駆動され、絞り１０３は絞り駆動機構１０９によって駆動される。光学系駆動機構１０７によって駆動された撮影光学系１０１の焦点位置（ピント位置）は、ピント位置検出機構１０５によって、また光学系１０１の焦点距離は、ズーム位置検出機構１０６によって、それぞれ検出される。
【００２６】
光学系駆動機構１０７、絞り駆動機構１０９、ピント位置検出機構１０５、およびズーム位置検出機構１０６は、それぞれレンズＣＰＵ１１１に接続されており、このレンズＣＰＵ１１１は通信接点３４１を介してカメラ本体２００に接続されている。
【００２７】
また、レンズＣＰＵ１１１には、レンズＲＯＭ１１３とレンズＲＡＭ１１５が接続されている。レンズＲＯＭ１１３は、電気的に書き換え可能な不揮発性メモリであり、レンズＣＰＵ１１１を実行させるためのプログラムや、交換レンズ１００の固有情報等が記憶されている。レンズＲＡＭ１１５は、電気的に書き換え可能な揮発性メモリであり、上述のプログラムの実行に当たって使用される一時的な記憶領域である。
【００２８】
レンズＣＰＵ１１１は交換レンズ１００内の制御を行うものであり、光学系駆動機構１０７を制御してピント合わせや、ズーム駆動を行うとともに、絞り駆動機構１０９を制御して絞り値制御を行う。また、レンズＣＰＵ１１１は、ピント位置検出機構１０５やズーム位置検出機構１０６によって検出された焦点距離や焦点位置情報をカメラ本体２００に送信する。
【００２９】
カメラ本体２００内には、被写体像を観察光学系に反射するためにレンズ光軸に対して４５度傾いた位置（下降位置、被写体像観察位置）と、被写体像を撮像素子２２１に導くために跳ね上がった位置（上昇位置、退避位置）との間で、回動可能な可動ミラー２０１が設けられている。
【００３０】
この可動ミラー２０１の上方には、被写体像を結像するためのフォーカシングスクリーン２０４が配置され、このフォーカシングスクリーン２０４の上方には、全面液晶板（以下、全面ＬＣＤと称す）２０５が配置されている。この全面ＬＣＤ２０５は、部分的に透過と遮光を制御可能であり、フォーカシングスクリーン２０４上に結像した被写体像の内の任意に部分について、被写体像をファインダ光学系に導くことができる。
【００３１】
全面ＬＣＤ２０５の上方には、被写体像を左右反転させるためのペンタプリズム２０７が配置されている。ペンタプリズム２０７の前面側の反射面に沿って、ファインダ内表示装置２０６が配置されている。このファインダ内表示装置２０６は、液晶表示装置等から構成され、後述するように、光学ファインダ像に対して、視野表示や撮影情報等を重畳させて表示する。このファインダ内表示装置２０６は、ファインダ内表示駆動回路２９５に接続されており、これによって駆動制御される。
【００３２】
ペンタプリズム２０７の出射側(図２で右側)には被写体像観察用の接眼レンズ２０９が配置され、この脇であって被写体像の観察に邪魔にならない位置に測光センサ２１１が配置されている。この測光センサ２１１は、測光処理回路２１２に接続され、測光センサ２１１の出力は、この測光処理回路２１２によって増幅処理やアナログ−デジタル変換等の処理がなされる。
【００３３】
上述の可動ミラー２０１の中央付近はハーフミラーで構成されており、この可動ミラー２０１の背面には、ハーフミラー部で透過した被写体光をカメラ本体２００の下部に反射するためのサブミラー２０３が設けられている。このサブミラー２０３は、可動ミラー２０１に対して回動可能であり、可動ミラー２０１が跳ね上がっているときには（図２において破線位置）、ハーフミラー部を覆う位置に回動し、可動ミラー２０１が被写体像観察位置（下降位置）にあるときには、図示する如く可動ミラー２０１に対して開いた位置にある。
【００３４】
この可動ミラー２０１はミラー駆動機構２３９によって駆動されている。また、サブミラー２０３の下方には位相差ＡＦセンサ２４１が配置されており、この位相差ＡＦセンサ２４１の出力は位相差ＡＦ処理回路２４３に接続されている。位相差ＡＦセンサ２４１は、撮影光学系１０１によって結像される被写体像の焦点ズレ量（デフォーカス量）を測定するために、撮影光学系１０１の周辺光束を２光束に分離する公知の位相差ＡＦ光学系と１対のセンサとから構成されている。また、位相差ＡＦセンサ２４１は、撮影画面内の複数ポイントについて、それぞれ焦点検出可能である。
【００３５】
可動ミラー２０１の後方には、露光時間制御用のフォーカルプレーンタイプのシャッタ２１３が配置されており、このシャッタ２１３はシャッタ駆動機構２３７によって駆動制御される。シャッタ２１３の後方には撮像素子２２１が配置されており、撮影光学系１０１によって結像される被写体像を電気信号に光電変換する。なお、撮像素子２２１としてはＣＣＤ（Charge Coupled Devices）またはＣＭＯＳ（Complementary Metal Oxide Semiconductor）等の二次元固体撮像素子を使用できることは言うまでもない。
【００３６】
撮像素子２２１は撮像素子駆動回路２２３に接続され、この撮像素子駆動回路２２３によって、撮像素子２２１から画像信号の読出し等が行われる。撮像素子駆動回路２２３は、前処理回路２２５に接続されており、前処理回路２２５は、ライブビュー表示のための画素間引き処理、拡大表示のための切り出し処理等の画像処理のための前処理を行なう。
【００３７】
前述のシャッタ２１３と撮像素子２２１の間には、防塵フィルタ２１５、赤外カットフィルタ・ローパスフィルタ２１７が配置されている。防塵フィルタ２１５の周囲には圧電素子が固定されており、この圧電素子は防塵フィルタ駆動回路２３５によって、超音波で振動する。防塵フィルタ２１５の付着した塵埃は、圧電素子に発生する振動波によって、除塵される。
【００３８】
赤外カットフィルタ・ローパスフィルタ２１７は、被写体光束から赤外光成分と、高周波成分を除去するための光学フィルタである。防塵フィルタ２１５、赤外カットフィルタ・ローパスフィルタ２１７および撮像素子２２１は、塵埃等が侵入しないように気密に一体に構成されている。これら一体化された撮像素子２２１等は、シフト機構２３３によって、撮像素子２２１の撮像面におけるＸ軸方向とＹ軸方向に沿って、それぞれ移動させることができる。
【００３９】
手ブレセンサ２２９は、カメラ本体２００に加えられた手ブレ等による振動を検出する角加速度センサ等であり、この出力は手ブレ補正回路２３０に接続している。手ブレ補正回路２３０は手ブレ等の振動を除去するための手ブレ補正信号を生成し、手ブレ補正回路２３０の出力は、シフト機構駆動回路２３１に接続されている。
【００４０】
シフト機構駆動回路２３１は、手ブレ補正信号を入力し、この信号に基づいて、シフト機構２３３を駆動する。このシフト機構２３３によって、カメラ本体２００に加えられた手ブレ等の振動を打ち消すように、撮像素子２２１等を移動させ、防振を行なう。
【００４１】
傾きセンサ２２７は、３軸回りの角加速度を検出し、カメラ本体２００の傾きに応じた値を出力する。傾き検知回路２２８は、傾きセンサ２２７に接続されており、傾きセンサ２２７の定常状態の値から傾き状態を、また傾きセンサ２２７の変化量から加速度を求め、これらの値を出力する。
【００４２】
光源センサ２４４は、蛍光灯や太陽光など、被写体の環境光の光源を検出するためのセンサである。光源処理回路２４５は、光源センサ２４４に接続され、光源に応じた光源データを出力する。照度センサ２４６は、カメラ２００上での照度を測定するためのセンサである。照度処理回路２４７は、照度センサ２４６に接続され、照度に応じた照度データを出力する。
【００４３】
リモコン受信センサ２４８は、リモコン装置（不図示）からの赤外線等によるリモコン指令を受信するための赤外線センサである。リモコン受信処理回路２４９は、リモコン受信センサ２４８に接続され、このセンサからの信号を入力し、リモコン信号を出力する。
【００４４】
前述の前処理回路２２５は、ＡＳＩＣ（Application Specific
Integrated Circuit 特定用途向け集積回路）２５０内のデータバス２５２に接続されており、このデータバス２５２を介して、ＡＳＩＣ２５０内の各回路に接続されている。また、前処理回路２２５は、コントラストＡＦ回路２５３およびＡＥ回路２５５にも接続されている。
【００４５】
コントラストＡＦ回路２５３は、前処理回路２２５から出力される画像信号に基づいて高周波成分を抽出し、この高周波成分に基づくコントラスト情報をボディＣＰＵ２５１に出力する。なお、コントラストＡＦ回路２５３は、高周波成分を抽出するにあたって、画面内の全領域について、抽出可能である。ＡＥ回路２５５は、前処理回路２２５から出力される画像信号に基づいて、被写体輝度に応じた測光情報をボディＣＰＵ２５１に出力する。
【００４６】
データバス２５２、コントラストＡＦ回路２５３、およびＡＥ回路２５５に接続されているボディＣＰＵ２５１は、フラッシュメモリ２７７に記憶されているプログラムに従って、デジタル一眼レフカメラの動作を制御するものである。
【００４７】
データバス２５２には、ボディＣＰＵ２５１以外に、画像処理回路２５７、圧縮伸張回路２５９、ビデオ信号出力回路２６１、スイッチ検知回路２６８、入出力回路２７１、通信回路２７３、フラッシュメモリ制御回路２７５、ＳＤＲＡＭ制御回路２７９、記録媒体制御回路２８３、ダイアル検知回路２８９が接続されている。
【００４８】
画像処理回路２５７は、デジタル画像データのデジタル的増幅（デジタルゲイン調整処理）、色補正、ガンマ（γ）補正、コントラスト補正、ライブビュー表示用画像生成等の各種の画像処理を行なう。また圧縮伸張回路２５９はＳＤＲＡＭ２８１に一時記憶された画像データをＪＰＥＧやＴＩＦＦ等の圧縮方式により圧縮し、また表示等のために伸張するための回路である。なお、画像圧縮はＪＰＥＧやＴＩＦＦに限らず、他の圧縮方式も適用できる。
【００４９】
ビデオ信号出力回路２６１は、ＬＣＤ駆動回路２６３を介して背面ＬＣＤ３９に接続され、また接点３３０ａを介して外部表示装置３３０に接続可能である。このビデオ信号出力回路２６１は、ＳＤＲＡＭ２８１、記録媒体Ａ２８５、記録媒体Ｂ２８７に記憶された画像データを、背面ＬＣＤ３９等に表示するためのビデオ信号に変換するための回路である。また、ビデオ信号出力回路２６１は、後述するように、撮像素子２２１からの画像データに基づく画像全体と、設定されたアスペクト比に基づく撮影範囲の被写体像と、撮影情報を背面ＬＣＤ３９の４隅位置等の所定位置に表示するための信号処理も行う。背面ＬＣＤ３９は、図１に示すように、カメラ本体２００の背面に配置されるが、撮影者が観察できる位置であれば、背面に限らないし、また液晶に限らず他の表示装置でも構わない。
【００５０】
シャッタレリーズ釦の第１ストローク（半押し）を検出する１Ｒスイッチや、第２ストローク（全押し）を検出する２Ｒスイッチ、インフォメーション釦３１の操作によってオンするインフォーメーションスイッチ、十字釦３２の上側十字釦３２ａ、下側十字釦３２ｂの操作によってオンする上側十字釦スイッチや下側十字釦スイッチを含む各種スイッチ２６９は、スイッチ検知回路２６８を介してデータバス２５２に接続されている。また、各種スイッチ２６９としては、この他にも、ライブビュー（ＬＶ）表示釦の操作によってオンするライブビュー表示スイッチ、メニュー釦に連動するメニュースイッチ、再生釦に連動する再生スイッチ、パワースイッチ等、その他の操作部材に連動する各種スイッチ等を含んでいる。
【００５１】
上述の防塵フィルタ駆動回路２３５、シャッタ駆動機構２３７、位相差ＡＦ処理回路２４３、ミラー駆動機構２３９、光源処理回路２４５、照度処理回路２４７、リモコン受信処理回路２４９、傾き検知回路２２８、シフト機構駆動回路２３１、測光処理回路２１２と接続される入出力回路２７１は、データバス２５２を介してボディＣＰＵ２５１等の各回路とデータの入出力を制御する。なお、入出力回路２７１は、後述するＬＣＤ向き検知回路２６５、充電回路３０１、フラッシュ発光回路３０３にも接続される。
【００５２】
レンズＣＰＵ１１１と通信接点３４１を介して接続された通信回路２７３は、データバス２５２に接続され、ボディＣＰＵ２５１等とのデータのやりとりや制御命令の通信を行う。
【００５３】
フラッシュメモリ制御回路２７５は、フラッシュメモリ（Flash Memory）２７７に接続され、このフラッシュメモリ２７７は、デジタル一眼レフカメラの動作を制御するためのプログラムが記憶されており、前述したように、ボディＣＰＵ２５１はこのフラッシュメモリ２７７に記憶されたプログラムに従ってデジタル一眼レフカメラの制御を行う。なお、フラッシュメモリ２７７は、電気的に書き換え可能な不揮発性メモリである。
【００５４】
ＳＤＲＡＭ２８１は、ＳＤＲＡＭ制御回路２７９を介してデータバス２５２に接続されており、このＳＤＲＡＭ２８１は、画像処理回路２５７によって画像処理された画像データまたは圧縮伸張回路２５９によって圧縮された画像データを一時的に記憶するためのバッファメモリである。
【００５５】
データバス２５２に接続された記録媒体制御回路２８３は、記録媒体Ａ２８５、記録媒体Ｂ２８７に接続され、これらの記録媒体Ａ２８５、Ｂ２８７への画像データ等の記録及び画像データ等の読み出しの制御を行う。
【００５６】
記録媒体Ａ２８５および記録媒体Ｂ２８７は、ｘＤピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。なお、記録媒体Ａ２８５、Ｂ２８７は、同じ種類の記録媒体であって、記憶容量が異なる組み合わせや、また異なる種類の記録媒体の組み合わせ等、組み合わせ方は自由である。
【００５７】
ダイアル検知回路２８９は、前述の前ダイアル２２と後ダイアル２３にそれぞれ接続しており、それぞれのダイアルの回転方向および回転量を検知する。
【００５８】
カメラ本体２００内には、本体内の各回路や各機構等に電源を供給するための電源供給回路２９１が設けられている。この電源供給回路２９１には、内蔵のバッテリ２９２および外部電源２９３が接続可能である。
【００５９】
ＬＣＤ向き検知回路２６５は、背面ＬＣＤ３９の向きを検知する。すなわち、背面ＬＣＤ３９は、その向きを縦位置や横位置に変更することができ、この向きを検知し、入出力回路２７１を介してボディＣＰＵ２５１に伝達される。
【００６０】
カメラ本体２００の上部に配置されたコントロールパネル４０には、コントロールパネル駆動回路２９７が接続されており、コントロールパネル駆動回路２９７はボディＣＰＵ２５１に接続されている。ボディＣＰＵ２５１は、コントロールパネル駆動回路２９７を介して、コントロールパネル４０に撮影情報等の表示を行う。
【００６１】
カメラ本体２００内に配置された内蔵フラッシュ５０は、充電回路３０１、フラッシュ発光回路３０３、発光管３０５等から構成される。充電回路３０１はバッテリ２９２または外部電源２９３等より、電源供給を受け、電圧を昇圧し、これを充電する。フラッシュ発光回路３０３は、所定のタイミングで、充電回路３０１によって昇圧された電圧を発光管３０５に印加する等、発光制御を行う。
【００６２】
外部フラッシュ３１０は、外付けのフラッシュ装置であり、接点３１０ａ、３１０ｂを介して、カメラ本体２００と接続する。この外部フラッシュ３１０内には、フラッシュＣＰＵ３１１、充電回路３１３、フラッシュ発光回路３１５、発光管３１７、反射傘３１８、ズーム駆動回路３１９が配置されている。
【００６３】
フラッシュＣＰＵ３１１は、外部フラッシュ３１０の制御を行い、また、接点３１０ｂ、通信回路２７３を介してボディＣＰＵ２５１と通信を行う。充電回路３１３は、外部フラッシュ３１０内に装填された電源電池の電圧を昇圧し、これを充電する。フラッシュ発光回路３１５は、ボディＣＰＵ２５１と接点３１０ａを介して受信した発光命令に応じて発光する。ズーム駆動回路３１９は、撮影光学系１０１の焦点距離に応じて、発光管３１７と反射笠３１８の間隔を駆動制御し、撮影光学系１０１の焦点距離等に応じた照射角となるように制御する。
【００６４】
外部機器３２０は、パーソナルコンピュータ（ＰＣ）等の機器であり、接点３２０ａ、通信回路２７３を介して、ボディＣＰＵ２５１と通信を行う。外部表示機器３３０は、テレビ等の表示機器であり、接点３３０ａを通じて、前述のビデオ信号出力回路２６１に接続されている。外部表示機器３３０の内部には、表示装置駆動回路３３１と表示装置３３３が配置されている。ビデオ信号出力回路２６１からのビデオ信号に基づき、表示装置駆動回路３３１は表示装置３３３に記録画像等の表示を行う。
【００６５】
次に、撮像素子２２１の撮影画面と背面ＬＣＤ３９視野枠との関係について、図３を用いて説明する。撮像素子２２１の撮像素子有効範囲２２１ａ上のイメージサークル１２０内に、撮影光学系１０１によって被写体像が形成され、撮像素子２２１の各画素から画素信号が出力される。撮影時に、ユーザは、９：１６縦長画像１２２、２：３縦長画像１２３、１：１正方形画像１２４、３：２横長画像１２５、１６：９横長画像１２６等、種々のアスペクト比に画面サイズを変更可能であり、撮影前に被写体像を背面ＬＣＤ３９によって被写体像を観察することができる。
【００６６】
また、本実施形態においては、アスペクト比を無段階に変更することができる。この場合、アスペクト比を変更しても、撮影画面はイメージサークル内に内接しており、撮影画面の対角線はイメージサークル１２０の直径となるようにしている。このため、アスペクト比を変更しても、画角は変化することがなく、画質が劣化することはない。撮像素子２２１の撮像素子有効範囲２２１ａは、イメージサークル１２０に外接していないが、これは極端な横長または縦長画面は実用的ではないので、その分、撮像素子２２１を小型化することができる。
【００６７】
次に、本実施形態における動作を、図４に示す設定変更のフローチャートを用いて説明する。ボディＣＰＵ２５１は、パワーオンリセットがかかると動作を開始し、メインルーチン中で図４に示す設定変更のサブルーチンを実行する。この設定変更のサブルーチンに入ると、まず、アスペクト切り換えダイアル操作がなされたか否かの判定を行う（＃１０１）。ここでは、ダイアル検知回路２８９によって前ダイアル２２または後ダイアル２３が回転操作されか否かを判定する。
【００６８】
ステップ＃１０１における判定の結果、ダイアル操作が行われていた場合には、次に、ダイアルの回転方向および回転量を検出する（＃１０３）。この回転方向と回転量は、ダイアル検知回路２８９の検出結果に基づいて判定する。続いて、検出したダイアルの動きに応じて撮影範囲のアスペクトを変更する（＃１０５）。ここでは、ダイアルが一方向に回転した場合には、横長画面の方向にアスペクト比が大きくなるように矩形で撮影範囲を変更する（例えば、９：１６縦長→２：３縦長→１：１正方形→３：２横長→１６：９横長）。またダイアルが他方向に回転した場合には、縦長画面方向にアスペクト比が大きくなるように撮影範囲を変更する（例えば、１６：９横長→３：２横長→１：１正方形→２：３縦長→９：１６縦長）。
【００６９】
なお、ここで挙げたアスペクト比の変化は、変化方向を示すためであって、回転量に応じて小刻みにアスペクト比を変えていく。ここで設定した撮影範囲に応じて、記録媒体２８５、２８７に記録する画像データ出力領域の設定を行う。画像データ出力領域は、図３において説明した撮影画面の範囲の画素信号に相当する画像データの出力領域である。撮像素子２２１から画素信号を読み出す際に、撮像素子駆動回路２２３によって画像データ出力領域の画素信号を読み出すようにしても良いし、また、全画素の画素信号を読み出したのち、画像処理回路２５７等において画像データ出力領域に対応するデータを抽出するようにしても良い。
【００７０】
撮影範囲のアスペクトを変更すると、次に、モニタの撮影範囲を示す境界線を撮影範囲と同じになるように変更する（＃１０７）。このステップでは、背面ＬＣＤ３９で被写体像を観察するライブビュー表示モードが選択されている場合には、ビデオ信号出力回路２６１を制御し、ダイアル操作によって設定されたアスペクト比に応じて、図６乃至図８に示したような視野枠の境界線３９ａ等を表示する。
【００７１】
図６において、背面ＬＣＤ３９の表示面は、撮像素子２２１の撮像素子有効範囲２２１ａに対応しており、正方形状である。境界線３９ａは前述したように設定されたアスペクト比に応じた撮影範囲を示しており、この境界線３９ａの内側が被写体像表示領域３９ｂである。背面ＬＣＤ３９の表示面、かつイメージサークル１２０の内側であって被写体像表示領域３９ｂ（境界線３９ａ）の外側は、撮影可能領域３９ｃであり、この領域は、アスペクト比の変更により撮影可能である範囲を示している。
【００７２】
本実施形態においては、撮影可能領域３９ｃでは、明るさとコントラスを被写体像表示領域３９ｂとは変えて、設定された撮影範囲（被写体像表示領域３９ｂ）とは区別できるようにしている。なお、撮影可能領域３９ｃの表示方法としては、これ以外にも、例えば、白黒でグレー表示したり、カラー表示の彩度を低下させる等、被写体像を表示しつつも、被写体像表示領域３９ｂにおける被写体像と区別して表示できるものであれば良い。
【００７３】
また、背面ＬＣＤ３９の表示面の４隅には、撮影情報３９ｄが表示される。この例では、左上に電池残量、右上には撮影モード（ここではプログラムモード）、右下には露出制御値（ここでは、絞りＦ５．６、シャッタ速度１／５００秒）、左下には撮影可能枚数（ここでは、３０３コマ）が示されている。この撮影情報３９の表示領域は、イメージサークル１２０の外側であることから、被写体像表示領域３９ｂと重なることがない。したがって、表示位置は一定しており、ユーザにとっていつも同じ位置であることから、撮影情報の確認の際に戸惑うこともない。
【００７４】
図６に示す横長の撮影範囲において、ステップ＃１０１〜＃１０５において、アスペクト比を縦長の撮影範囲に変更すると、図７に示すように、背面ＬＣＤ３９には縦長の画像が表示される。この場合には、境界線３９ａが変更後の撮像範囲に対応して変更され、この境界線３９ａの内部に被写体像が表示される。この場合であっても、撮影情報３９ｄは、背面ＬＣＤ３９の表示面の４隅で、横長の場合と同じ位置に表示される。
【００７５】
なお、インフォメーション釦３１が操作され、撮影情報３９ｄとして前述の４つ以外に表示する場合には、図８に示すように、撮影可能領域３９ｃに表示する。図８の例では、撮影情報３９ｅとして、ＩＳＯ感度（ここでは、１００）と、ホワイトバランス（ここでは、自動）が表示されている。撮影可能領域３９ｃであれば、被写体像に重畳することなく撮影情報３９ｅを表示することができ、被写体像の観察にあたって煩わしいことがない。なお、さらに、撮影情報を表示する場合には、被写体像表示領域３９ｂ内に表示しても良い。
【００７６】
ステップ＃１０７において背面ＬＣＤ３９に被写体像や撮影情報を表示すると、または、ステップ＃１０１における判定の結果、アスペクト切り換えダイアルが操作されていなかった場合には、設定変更のサブルーチンを終了して、元のフローに戻る。
【００７７】
次に、本発明の一実施形態における設定変更の変形例を、図５に示すフローチャートを用いて説明する。本発明の一実施形態においてはアスペクト比の変更を前ダイアル２２または後ダイアル２３の回転操作によって行っていたが、本変形例においては、十字釦３２の操作によって行うようにしている。本変形例に構成は、本発明の一実施形態における図４のフローチャートを図５に示すフローチャートに変更するのみであるので、相違点を中心に説明する。
【００７８】
設定変更のサブルーチンに入ると、まず、上釦が操作されたか否かの判定を行う（＃１１１）。このステップでは、スイッチ検知回路２６８によって、上側十字釦３２ａが操作されたか否かの判定を行う。この判定の結果、上側十字釦３２ａが操作された場合には、次に、アスペクト比を一定量だけ縦長方向に変更する（＃１１３）。ここでは、撮像素子２２１の撮影範囲（画像データ出力領域）と背面ＬＣＤ３９の境界線３９ａを、設定されたアスペクト比に応じて変更する。なお、縦長方向は、例えば、１６：９横長→３：２横長→１：１正方形→２：３縦長→９：１６縦長の方向であって、一定量は、適宜、設計値として定める。
【００７９】
アスペクト比を一定量だけ縦長方向に変更すると、次に、上側十字釦３２ａを押したまま一定時間が経過したか否かの判定を行う（＃１１５）。この判定の結果、一定時間、押されたままであった場合には、アスペクト比を略連続的に縦長方向に変更する（＃１１７）。すなわち、一定の割合で、撮像素子２２１の撮影範囲（画像データ出力領域）と背面ＬＣＤ３９の境界線３９ａにおけるアスペクト比を縦長方向に変更していく。続いて、上側十字釦３２ａを押したままか否かを判定する（＃１１９）。上側十字釦３２ａが押されていた場合には、ステップ＃１１７に戻り、縦長方向にアスペクト比変更を続行する。
【００８０】
このようにステップ＃１１１において上側十字釦３２ａが操作されるとアスペクト比が縦長方向に一定量（１ステップ分）だけ変更され、一定時間以上操作されたままだと、連続的にアスペクト比が変更される。ここで変更されたアスペクト比に応じて、記録媒体２８５、２８７に記録される撮影領域が変更され、また背面ＬＣＤ３９に表示される視野枠を示す境界線３９ａが変更される。
【００８１】
ステップ＃１１９における判定の結果、上側十字釦３２ａの操作が停止され、またはステップ＃１１５における判定の結果、上側十字釦３２ａを押したまま一定時間が経過していない場合、またはステップ＃１１１における判定の結果、上側十字釦３２ａが操作されていなかった場合には、次に、下側十字釦３２ｂが操作されたか否かの判定を行う（＃１２１）。このステップでは、スイッチ検知回路２６８によって、下側十字釦３２ｂが操作されたか否かの判定を行う。この判定の結果、下側十字釦３２ｂが操作された場合には、次に、アスペクト比を一定量だけ横長方向に変更する（＃１２３）。ここでは、撮像素子２２１の撮影範囲（画像データ出力領域）と背面ＬＣＤ３９の境界線３９ａを、設定されたアスペクト比に応じて変更する。なお、横長方向は、例えば、９：１６縦長→２：３縦長→１：１正方形→３：２横長→１６：９横長の方向であって、一定量は、適宜、設計値として定める。
【００８２】
アスペクト比を一定量だけ横長方向に変更すると、次に、下側十字釦３２ｂを押したまま一定時間が経過したか否かの判定を行う（＃１２５）。この判定の結果、一定時間、押されたままであった場合には、アスペクト比を略連続的に横長方向に変更する。すなわち、一定の割合で、アスペクト比を横長方向に変更していく（＃１２７）。続いて、下側十字釦３２ｂを押したままかを判定する（＃１２９）。下側十字釦３２ｂが押されていた場合には、ステップ＃１２７に戻り、横長方向にアスペクト比変更を続行する。
【００８３】
このようにステップ＃１２１において下側十字釦３２ｂが操作されるとアスペクト比が横長方向に一定量（１ステップ分）だけ変更され、一定時間以上操作されたままだと、連続的にアスペクト比が変更される。ここで変更されたアスペクト比に応じて、記録媒体２８５、２８７に記録される撮影領域が変更され、また背面ＬＣＤ３９に表示される視野枠を示す境界線３９ａが変更される。
【００８４】
ステップ＃１２９における判定の結果、下側十字釦３２ｂの操作が停止され、またはステップ＃１２５における判定の結果、下側十字釦３２ｂを押したまま一定時間が経過していない場合、またはステップ＃１２１における判定の結果、下側十字釦３２ｂが操作されていなかった場合には、設定変更のサブルーチンを終了して、元のフローに戻る。
【００８５】
なお、本変形例においても、背面ＬＣＤ３９におけるライブビュー表示の際には、図６乃至図８を用いて説明したような表示がなされる。すなわち、境界線３９ａは設定されたアスペクト比に応じて変更され、また境界線３９ａの外側であって、イメージサークル１２０内には撮影可能領域３９ｃとしてアスペクト比の変更が可能な領域として表示される。また、背面ＬＣＤ３９の４隅には、撮影情報３９ｄが表示される。
【００８６】
本変形例において、ステップ＃１１１においては上側十字釦３２ａの操作状態を判定し、ステップ＃１２１においては下側十字釦３２ｂの操作状態を判定していたが、これに限らず、例えば、ステップ＃１１１においては上側十字釦３２ａまたは下側十字釦３２ｂの操作状態を判定し、ステップ＃１２１においては左右の十字釦３２の操作状態を判定しても構わない。
【００８７】
以上説明したように、本発明の実施形態においては、撮像素子２２１からの画像データの全体について表示すると共に、設定されたアスペクト比等に基づく撮影範囲を表示するようにしている。このため、全体画像に対して、撮影可能範囲を確認することが容易である。また、全体画像に対して撮影範囲を表示するにあたって、その表示態様を異ならせているので、現在設定されている撮影範囲と、変更可能な範囲とを容易に識別して観察することができる。このため、アスペクト比等の変更を容易に行うことができる。
【００８８】
また、本発明の実施形態においては、撮像素子２２１からの画像データに基づいて、被写体像を表示すると共に、いつも一定の位置に撮影情報を表示するようにしている。このため、縦横位置やアスペクト比が変更されても、撮影情報を見やすいという利点がある。また、撮影情報の表示にあたっては、イメージサークルの外に配置しているので、撮影範囲の被写体像と重複することがなく、見難くなるおそれがない。
【００８９】
なお、本発明の実施形態においては、撮影情報３９ｄを背面ＬＣＤ３９の４隅にそれぞれ表示していたが、すべての４隅に表示する必要はなく、上側のみや下側のみでも構わない。また、アスペクト比設定のための操作部材として、前ダイアル２２や後ダイアル２３のような回転式ダイアルや、十字釦３２のような４つの押し釦を採用していたが、これに限らず、無段階で操作可能な操作部材であれば良く、例えば、レバーやタッチパネル等、種々の操作部材に変更可能である。
【００９０】
また、本発明の実施形態においては、光学式ファインダとライブビュー表示の２つの被写体像観察のための表示モードを有していたが、光学式ファインダを省略しても構わない。また、光学式ファインダや背面ＬＣＤによるライブビュー表示以外にも、接眼部を通して被写体像を観察する、いわゆる電子ビューファインダでも、本発明を適用できる。
【００９１】
さらに、本発明の実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）等に内蔵されるカメラでも構わない。
【００９２】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【００９３】
２２・・・前ダイアル、２３・・・後ダイアル、３１・・・インフォメーション釦、３２・・・十字釦、３８・・・接眼部、３９・・・背面ＬＣＤ、３９ａ・・・境界線、３９ｂ・・・被写体像表示領域、３９ｃ・・・撮影可能領域、３９ｄ・・・撮影情報、３９ｅ・・・撮影情報、４０・・・コントロールパネル、１００・・・交換レンズ、１０１・・・撮影光学系、１０３・・・絞り、１０５・・・ピント位置検出機構、１０６・・・ズーム位置検出機構、１０７・・・光学系駆動機構、１０９・・・絞り駆動機構、１１１・・・レンズＣＰＵ、１１３・・・レンズＲＯＭ、１１５・・・レンズＲＡＭ、１２０・・・イメージサークル、１２２・・・９：１６縦長画像、１２３・・・２：３縦長画像、１２４・・・１：１正方形画像、１２５・・・３：２横長画像、１２６・・・１６：９横長画像、２００・・・カメラ本体、２０１・・・可動ミラー、２０３・・・サブミラー、２０４・・・スクリーン、２０５・・・全面ＬＣＤ、２０６・・・ファインダ内表示装置、２０７・・・ペンタプリズム、２０９・・・接眼レンズ、２１１・・・測光素子、２１２・・・測光処理回路、２１３・・・シャッタ、２１５・・・防塵フィルタ、２１７・・・ローパスフィルタ、２２１・・・撮像素子、２２１ａ・・・撮像素子有効範囲、２２３・・・撮像素子駆動回路、２２５・・・前処理回路、２２７・・・傾きセンサ、２２８・・・傾き検知回路、２２９・・・手ブレセンサ、２３０・・・手ブレ補正回路、２３１・・・シフト機構駆動回路、２３３・・・シフト機構、２３５・・・防塵フィルタ駆動回路、２３７・・・シャッタ駆動機構、２３９・・・ミラー駆動機構、２４１・・・位相差ＡＦセンサ、２４３・・・位相差ＡＦ処理回路、２４４・・・光源センサ、２４５・・・光源処理回路、２４６・・・照度センサ、２４７・・・照度処理回路、２４８・・・リモコン受信センサ、２４９・・・リモコン受信処理回路、２５０・・・ＡＳＩＣ、２５１・・・ボディＣＰＵ、２５２・・・バス、２５３・・・コントラストＡＦ回路、２５５・・・ＡＥ回路、２５７・・・画像処理回路、２５９・・・圧縮伸張回路、２６１・・・ビデオ信号出力回路、２６３・・・ＬＣＤ駆動回路、２６５・・・ＬＣＤ向き検知回路、２６８・・・スイッチ検知回路、２６９・・・各種スイッチ、２７１・・・入出力回路、２７３・・・通信回路、２７５・・・フラッシュメモリ制御回路、２７７・・・フラッシュメモリ、２７９・・・ＳＤＲＡＭ制御回路、２８１・・・ＳＤＲＡＭ、２８３・・・記録媒体制御回路、２８５・・・記録媒体Ａ、２８７・・・記録媒体Ｂ、２８９・・・ダイアル検知回路、２９１・・・電源供給回路、２９２・・・バッテリ、２９３・・・外部電源、２９５・・・ファインダ内表示駆動回路、２９７・・・コントロールパネル駆動回路、３０１・・・充電回路、３０３・・・フラッシュ発光回路、３０５・・・発光管、３１０・・・外部フラッシュ、３１０ａ・・・接点、３１０ｂ・・・接点、３１１・・・フラッシュＣＰＵ、３１３・・・充電回路、３１５・・・フラッシュ発光回路、３１７・・・発光管、３１８・・・反射笠、３１９・・・ズーム駆動回路、３２０・・・外部機器（ＰＣ）、３２０ａ・・・接点、３２１・・・機器ＣＰＵ、３３０・・・外部表示装置（ＴＶ）、３３０ａ・・・接点、３３１・・・表示装置駆動回路、３３３・・・表示装置、３４１・・・通信接点
【図１】
2010187266.tif 000003
【図２】
2010187266.tif 000004
【図３】
2010187266.tif 000005
【図４】
2010187266.tif 000006
【図５】
2010187266.tif 000007
【図６】
2010187266.tif 000008
【図７】
2010187266.tif 000009
【図８】
2010187266.tif 000010